(57)【特許請求の範囲】
【請求項１】
外部装置と通信可能な画像形成装置であって、
前記外部装置から送信されるＥメールを受信する受信手段と、
前記受信手段により受信された前記Ｅメールを印刷する印刷手段と、
Ｅメールの受信機能を有効又は無効に設定する設定手段と、前記設定手段によりＥメールの受信機能が無効に設定されていれば、前記画像形成装置の電力状態を自動的にオフ状態にするオートシャットダウン機能を有効にし、前記設定手段によりＥメールの受信機能が有効に設定されていれば、前記オートシャットダウン機能を無効にする制御手段と、を備えることを特徴とする画像形成装置。
【請求項２】
前記設定手段は、Ｅメールの受信機能としてＳＭＴＰを有効または無効に設定することを特徴とする請求項１に記載の画像形成装置。
【請求項３】
前記オフ状態とは、前記受信手段が前記外部装置から送信されるＥメールを受信できない電力状態であることを特徴とする請求項１又は２に記載の画像形成装置。
【請求項４】
時刻を計時するタイマをさらに備え、
前記制御手段は、前記タイマにより計時される時刻が予め定めた時刻になったと判断した場合に、前記設定手段によりＥメールの受信機能が無効に設定されていれば、前記オートシャットダウン機能を実行して、前記画像形成装置の電力状態をオフ状態にすることを特徴とする請求項１乃至請求項３のいずれか１項に記載の画像形成装置。
【請求項５】
外部からの入力を受け付ける入力手段をさらに備え、
前記制御手段は、前記入力手段により前記外部からの入力が所定時間無かったと判断した場合に、前記設定手段によりＥメールの受信機能が無効に設定されていれば、前記オートシャットダウン機能を実行して、前記画像形成装置の電力状態をオフ状態にすることを特徴とする請求項１乃至請求項４のいずれか１項に記載の画像形成装置。
【請求項６】
前記印刷手段は、前記受信手段により受信された前記Ｅメールに添付された画像データを印刷することを特徴とする請求項１乃至請求項５のいずれか１項に記載の画像形成装置。
【請求項７】
外部装置と通信可能な画像形成装置であって、
前記外部装置から送信されるＥメールを受信する受信手段と、
前記受信手段により受信された前記Ｅメールを印刷する印刷手段と、
前記外部装置から送信されるＥメールの送信先を取得する取得手段と、前記取得手段により取得された送信先として前記画像形成装置が登録されていないなら、前記画像形成装置の電力状態を自動的にオフ状態にするオートシャットダウン機能を有効にし、前記取得手段により取得された送信先として前記画像形成装置が登録されているなら、前記オートシャットダウン機能を無効にする制御手段と、を備えることを特徴とする画像形成装置。
【請求項８】
前記制御手段は、前記取得手段により取得された送信先として前記画像形成装置のＩＰアドレスが登録されているなら、前記オートシャットダウン機能を無効にすることを特徴とする請求項７に記載の画像形成装置。
【請求項９】
前記オフ状態とは、前記受信手段が前記外部装置から送信されるＥメールを受信できない電力状態であることを特徴とする請求項７又は８に記載の画像形成装置。
【請求項１０】
時刻を計時するタイマをさらに備え、
前記制御手段は、前記タイマにより計時される時刻が予め定めた時刻になったと判断した場合に、前記取得手段により取得された送信先として前記画像形成装置が登録されていないなら、前記オートシャットダウン機能を実行して、前記画像形成装置の電力状態をオフ状態に移行させることを特徴とする請求項７乃至請求項９のいずれか１項に記載の画像形成装置。
【請求項１１】
外部からの入力を受け付ける入力手段をさらに備え、
前記制御手段は、前記入力手段により前記外部からの入力が所定時間無かったと判断した場合に、前記取得手段により取得された送信先として前記画像形成装置が登録されていないなら、前記オートシャットダウン機能を実行して、前記画像形成装置の電力状態をオフ状態にすることを特徴とする請求項７乃至請求項１０のいずれか１項に記載の画像形成装置。
【請求項１２】
前記印刷手段は、前記受信手段により受信された前記Ｅメールに添付された画像データを印刷することを特徴とする請求項７乃至請求項１１のいずれか１項に記載の画像形成装置。
【請求項１３】
外部装置と通信可能な画像形成装置の制御方法であって、
前記外部装置から送信されるＥメールを受信する受信ステップと、
前記受信ステップにおいて受信された前記Ｅメールを印刷する印刷ステップと、
Ｅメールの受信機能を有効又は無効に設定する設定ステップと、前記設定ステップにおいてＥメールの受信機能が無効に設定されていれば、前記画像形成装置の電力状態を自動的にオフ状態にするオートシャットダウン機能を有効にし、前記設定ステップにおいてＥメールの受信機能が有効に設定されていれば、前記オートシャットダウン機能を無効にする制御ステップと、を備えることを特徴とする画像形成装置の制御方法。
【請求項１４】
外部装置と通信可能な画像形成装置の制御方法であって、
前記外部装置から送信されるＥメールを受信する受信ステップと、
前記受信ステップにおいて受信された前記Ｅメールを印刷する印刷ステップと、
前記外部装置から送信されるＥメールの送信先を取得する取得ステップと、前記取得ステップにおいて取得された前記送信先として前記画像形成装置が登録されていないなら、前記画像形成装置の電力状態を自動的にオフ状態にするオートシャットダウン機能を有効にし、前記取得ステップにおいて取得された前記送信先として前記画像形成装置が登録されているなら、前記オートシャットダウン機能を無効にする制御ステップと、を備えることを特徴とする画像形成装置の制御方法。
【請求項１５】
請求項１３に記載の画像形成装置の制御方法を、コンピュータに実行させるためのプログラム。
【請求項１６】
請求項１４に記載の画像形成装置の制御方法を、コンピュータに実行させるためのプログラム。
【発明の詳細な説明】
【技術分野】
【０００１】
本発明は、受信したＦＡＸデータを転送可能な外部装置と通信可能な画像形成装置、その画像形成装置の制御方法、プログラムおよび記憶媒体に関する。
【背景技術】
【０００２】
ユーザの省エネルギーへの要求を受けて、画像形成装置についても、２０１３年に施行されるＥｒＰ指令Ｌｏｔ６等の電力規制に対応する必要がある。なお、ＥｒＰとは、Ｅｎｅｒｇｙ−ｒｅｌａｔｅｄ  Ｐｒｏｄｕｃｔｓの略で、ＥｒＰ指令とは、エネルギーに関連する製品全般を対象に環境配慮設計を義務付けるものである。そして、待機モードの消費電力とオフモードの消費電力の規制値を定めているのがＬｏｔ６である。
当該Ｌｏｔ６で定められた規制値を遵守するために、所定時間継続して画像形成装置が使用されなかった場合等に、画像形成装置の電源をオフにする機能（以下、オートシャットダウン機能）を搭載した装置が提案されている。
上記したＬｏｔ６の規格によれば、ＦＡＸの受信機能を有する装置については、外部装置からの着信をいつでも受信できるように、上記したＬｏｔ６の対象機器から除外されている。したがって、ＦＡＸの受信機能を有する装置であれば、上記したオートシャットダウン機能を搭載しなくても良いことになる。
一方で、インターネットファクシミリからＦＡＸデータが添付されたＥメールを受信可能な画像形成装置が知られている（特許文献１参照）。特許文献１に開示される画像形成装置は、例えば、インターネットファクシミリから、印刷用紙サイズがＡ４、印刷解像度が２００ＤＰＩ（Ｄｏｔ  Ｐｅｒ  Ｉｎｃｈ）のＦＡＸデータが添付されたＥメールを受信して、印刷する。
【先行技術文献】
【特許文献】
【０００３】
【特許文献１】特開平０９−２３３２３８号公報
【発明の概要】
【発明が解決しようとする課題】
【０００４】
上記特許文献１に開示されるＦＡＸデータが添付されたＥメールを受信可能な画像形成装置は、ＦＡＸデータを受信できるものの、当該ＦＡＸデータをＥメールとして受信するため、ＦＡＸの受信機能を備えていない場合がある。この場合、上記した画像形成装置は、Ｌｏｔ６の対象機器となるので、上記したオートシャットダウン機能を搭載する必要がある。
ＦＡＸデータをいつでも受信できるようにしたいという点では、ＦＡＸの受信機能であっても、ＦＡＸデータが添付されたＥメールの受信機能であっても同様である。しかしながら、上記した画像形成装置において、ＦＡＸの受信機能を有さず、ＦＡＸデータが添付されたＥメールの受信機能を有する場合には、オートシャットダウン機能が実行される。そうすると、画像形成装置の電源がオフ状態になり、当該画像形成装置が、ＦＡＸデータが添付されたＥメールを受信できなくなってしまう。
そこで、本発明は、Ｅメールを受信する機能が有効の場合には、電源が自動でオフになるのを防止することが可能な画像形成装置を提供することを目的とする。
【課題を解決するための手段】
【０００５】
上記した目的を達成するために、本発明の画像形成装置は、外部装置と通信可能な画像形成装置であって、前記外部装置から送信されるＥメールを受信する受信手段と、前記受信手段により受信された前記Ｅメールを印刷する印刷手段と、Ｅメールの受信機能を有効又は無効に設定する設定手段と、前記設定手段によりＥメールの受信機能が無効に設定されていれば、前記画像形成装置の電力状態を自動的にオフ状態にするオートシャットダウン機能を有効にし、前記設定手段によりＥメールの受信機能が有効に設定されていれば、前記オートシャットダウン機能を無効にする制御手段と、を備える。
【発明の効果】
【０００６】
本発明によれば、Ｅメールを受信する機能が有効の場合には、画像形成装置の電源が自動でオフになるのを防止することができる。これにより、画像形成装置がＥメールを受信し損なうのを防止することができる。
【図面の簡単な説明】
【０００７】
【図１】本発明の第１実施形態に係る印刷システムの構成を示すブロック図である。
【図２】電源スイッチおよび電源スイッチの周辺の構成を示した図である。
【図３】ＳＦＰの表示パネルに表示される内容を示した図である。
【図４】ＭＦＰの不揮発性メモリに格納されている転送設定テーブルである。
【図５】ＳＦＰが受信するＥメールのデータを示した図である。
【図６】ＳＦＰによるＥメールの印刷例を示した図である。
【図７】ＦＡＸ、ＭＦＰ、ＳＦＰ間のシーケンス図である。
【図８】ＳＦＰのシャットダウン機能の設定を変更するためのフローチャートである。
【図９】ＳＦＰが起動してからオートシャットダウン機能によりシャットダウンするまでの動作を示したフローチャートである。
【図１０】ＳＦＰが起動してからウィークリーシャットダウン機能によりシャットダウンするまでの動作を示したフローチャートである。
【図１１】本発明の第２実施形態に係るＳＦＰのシャットダウン機能の設定を変更するためのフローチャートである。
【発明を実施するための形態】
【０００８】
以下、本発明を実施するための形態について図面を用いて説明する。
【０００９】
（第１実施形態）
＜システム構成の説明＞
図１は、本発明の第１実施形態に係る印刷システムの構成を示すブロック図である。
【００１０】
この印刷システムは、ファクシミリ通信の手順に従ってＦＡＸデータ（画像データ）を発信するファクシミリ装置（以下、ＦＡＸとする）１００と、送信されたＦＡＸデータを受信する複合機（以下、ＭＦＰ（Ｍｕｌｔｉ  Ｆｕｎｃｔｉｏｎ  Ｐｅｒｉｐｈｅｒａｌ）とする）２００と、を備えている。また、この印刷システムは、ＭＦＰ２００から送信されるＥメールを受信して印刷するプリンタ（以下、ＳＦＰ（Ｓｉｎｇｌｅ  Ｆｕｎｃｔｉｏｎ  Ｐｅｒｉｐｈｅｒａｌ）とする）３００と、パーソナル・コンピュータ（以下、ＰＣとする）４００と、を備えている。
【００１１】
ＦＡＸ１００とＭＦＰ２００とは、ＰＳＴＮ（公衆交換電話網：Ｐｕｂｌｉｃ  Ｓｗｉｔｃｈｅｄ  Ｔｅｌｅｐｈｏｎｅ  Ｎｅｔｗｏｒｋｓ）５００で通信可能に接続されている。なお、ＰＳＴＮに代えて他の電話網を介しての通信や、デジタル回線（ＩＳＤＮ：Ｉｎｔｅｇｒａｔｅｄ  Ｓｅｒｖｉｃｅ  Ｄｉｇｉｔａｌ  Ｎｅｔｗｏｒｋ）での通信、など他の通信方式を採用してもよい。ＭＦＰ２００は、ＬＡＮ６００（Ｌｏｃａｌ  Ａｒｅａ  Ｎｅｔｗｏｒｋ）を介して、プリンタ３００（以下、ＳＦＰ３００とする）と通信可能に接続されている。
【００１２】
ＭＦＰ２００は、ＦＡＸ１００から送信されるＦＡＸデータを受信して、ＳＦＰ３００で印刷可能な画像データに変換する。そして、ＭＦＰ２００は、変換した画像データをＥメールに添付して、ＬＡＮ６００を介してＳＦＰ３００に送信する。そうすると、ＳＦＰ３００は、ＭＦＰ２００から送信されたＥメールを受信して、当該Ｅメールのメール本文と添付された画像データとを印刷する。
【００１３】
本発明に係るＳＦＰ３００は、上記したように、ＭＦＰ２００から送信されたＥメールを受信するだけでなく、ＰＣ４００から送信されたＰＤＬデータの印刷が可能である。
【００１４】
なお、ＬＡＮ６００では、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）と呼ばれるトランスポートレイヤまでの伝送プロトコルで、上記したＭＦＰ２００とＳＦＰ３００とが通信を行う。さらに、ＬＡＮ６００では、ＳＭＴＰ（Ｓｉｍｐｌｅ  Ｍａｉｌ  Ｔｒａｎｓｆｅｒ  Ｐｒｏｔｏｃｏｌ）と呼ばれる上位レイヤの通信プロトコルで、上記したＭＦＰ２００とＳＦＰ３００との間でＥメールの送受信が可能となる。
【００１５】
＜ＭＦＰ２００の構成の説明＞
ＭＦＰ２００は、図１に示すように、電源部２０１、スリープ復帰回路部２０２、ＣＰＵ２１１、表示パネル２１２、操作部２１３、スキャナー部２１４、プリンタ部２１５、ＲＯＭ２１６、ＲＡＭ２１７、不揮発性メモリ２１８、Ｅｔｈｅｒｎｅｔ（登録商標）Ｉ／Ｆ２１９、ＦＡＸコネクタ２２０、および外部Ｉ／Ｆ２２１を有している。
【００１６】
電源部２０１は、ＭＦＰ２００に電力の供給を行う。スリープ復帰回路部２０２は、ＭＦＰ２００がスリープ状態のときに、ＭＦＰ２００をスリープ状態から復帰させるための条件を検出して、電源部２０１に遮断していた電力の供給を再開させる指示を行う。
【００１７】
ＣＰＵ２１１は、ＭＦＰ２００の各部の制御を行う。表示パネル２１２は、ＭＦＰ２００の各種の情報を表示する。操作部２１３は、ユーザの操作に応じて、各種プログラムの実行指示を行う。
【００１８】
スキャナー部２１４は、原稿を読み込み、当該原稿の画像を画像データに変換する。プリンタ部２１５は、入力された画像データを印刷して出力する。
【００１９】
ＲＯＭ２１６は、ＣＰＵ２１１の制御、表示パネル２１２の制御、操作部２１３の制御、スキャナー部２１４の制御、およびプリンタ部２１５の制御、を行うためのプログラムコードを格納している。このＲＯＭ２１６を書き換え可能なフラッシュＲＯＭとすることによって、ＲＯＭ２１６中に格納されているプログラムコードの更新を行うことができる。ＲＡＭ２１７は、上記したプログラムコードのワークメモリとして使用される。また、ＲＡＭ２１７は、プリンタ部２１５に印刷される画像イメージを一時的に蓄積する。
【００２０】
不揮発性メモリ２１８は、受信したＦＡＸデータを一時的に蓄積する。この不揮発性メモリ２１８は、ハードディスク（ＨＤＤ）やフラッシュＲＯＭなどで構成される。
【００２１】
Ｅｔｈｅｒｎｅｔ（登録商標）Ｉ／Ｆ２１９は、ＬＡＮ６００に接続するためのインターフェイスであって、ＥメールおよびＰＤＬデータ等の送受信を可能とする。ＦＡＸコネクタ２２０は、ＰＳＴＮ５００に接続するためのコネクタであり、ＦＡＸ１００からＦＡＸデータの送受信を可能とする。また、外部Ｉ／Ｆ２２１は、他の外部装置とのインターフェイスである。
【００２２】
＜ＳＦＰ３００の構成の説明＞
ＳＦＰ３００は、電源部３０１、電源制御部３０２、ＣＰＵ３１１、表示パネル３１２、操作部３１３、プリンタ部３１５、ＲＯＭ３１６、ＲＡＭ３１７、不揮発性メモリ３１８、Ｅｔｈｅｒｎｅｔ（登録商標）Ｉ／Ｆ３１９、タイマ３２０および外部Ｉ／Ｆ３２２を備えている。
【００２３】
電源部３０１は、ＳＦＰ３００に電力の供給を行う。この電源部３０１の構成の詳細は、後述する。
【００２４】
電源制御部３０２は、電源部３０１を制御して、ＳＦＰ３００の各デバイスに供給される電力を制御する。ＳＦＰ３００がスタンバイ状態の場合、電源制御部３０２は、コントローラ部３１０（図２参照）、プリンタ部３１５および操作部３１３など各部に電力が供給されるように電源部３０１を制御する。また、ＳＦＰ３００がスリープ状態の場合、電源制御部３０２は、コントローラ部３１０に電力が供給されるように電源部３０１を制御する。この際、プリンタ部３１５および操作部２１３には、電力が供給されない。また、オートシャットダウン機能またはウィークリーシャットダウン機能により、ＳＦＰ３００の電源がオフになる場合、電源制御部３０２は、ＳＦＰ３００の各部への電力の供給が停止するように電源部３０１を制御する。
【００２５】
また、電源制御部３０２は、ＳＦＰ３００をスリープ状態からスタンバイ状態に復帰させる場合、電源部３０１に再開指示を送信して、プリンタ部３１５および操作部３１３への電力の供給を再開させる。また、電源制御部３０２は、ユーザの操作により電源スイッチ部３０１ａ（図２参照）がオンにされると、ＳＦＰ３００をオフ状態からスタンバイ状態に復帰させる。具体的には、電源スイッチ部３０１ａがオンにされると、電源制御部３０２は、当該電源スイッチ部３０１ａからの通知を受信して、プリンタ部３１５および操作部３１３に電力が供給されるように電源部３０１を制御する。
【００２６】
ＣＰＵ３１１は、ＳＦＰ３００の各部の制御を行う。
【００２７】
表示パネル３１２は、ＳＦＰ３００の各種の情報を表示する。
【００２８】
操作部３１３は、ユーザの操作に応じて、各種プログラムの実行指示を行う。この操作部３１３は、操作者からの各種操作を受け付ける。操作部３１３により受け付けたユーザの操作に基づいて、ＣＰＵ３１１は、表示パネル３１２に表示する画面データを送り、表示パネル３１２は、受けた画面データを画面に表示する。スリープ時は、表示パネル３１２のバックライトが消灯する。操作部３１３の操作に応じて、ＣＰＵ３１１は、タイマ３２０をスタートさせる。
【００２９】
プリンタ部３１５は、入力された画像データを印刷する。このプリンタ部３１５は、ＣＰＵ３１１の制御に基づいて、プリント処理を実行する。このプリンタ部３１５は、スリープ時に電源の供給が停止される。
【００３０】
ＲＯＭ３１６は、ＣＰＵ３１１の制御、表示パネル３１２の制御、操作部３１３の制御、およびプリンタ部３１５の制御、を行うためのプログラムコードを格納している。ＲＯＭ３１６を書き換え可能なフラッシュＲＯＭとすることによって、ＲＯＭ３１６中に格納されているプログラムコードの更新を行うことができる。ＲＡＭ３１７は、上記したプログラムコードのワークメモリとして使用される。また、ＲＡＭ３１７は、プリンタ部３１５に印刷される画像イメージを一時的に蓄積する。
【００３１】
不揮発性メモリ３１８は、受信したＥメールおよびそのＥメールに添付される画像ファイルを一時的に蓄積する。この不揮発性メモリ３１８は、ハードディスク（ＨＤＤ）やフラッシュＲＯＭなどで構成される。この不揮発性メモリ３１８は、当該コンピュータシステムで実行する各種のソフトウェアやデータを格納する。なお、不揮発性メモリ３１８には、ＯＳや情報処理等を行う各種のアプリケーションプログラム（制御プログラム）が格納されている。この各種の制御プログラムの中には、シャットダウン機能に係る制御プログラムも含まれている。データには、オートスリープを実行するためのオートスリープ移行時間、オートシャットダウンを実行するためのオートシャットダウン移行時間、ウィークリーシャットダウンを実行するためのウィークリーシャットダウン時刻を含んでいる。
【００３２】
Ｅｔｈｅｒｎｅｔ（登録商標）Ｉ／Ｆ３１９は、ＬＡＮ６００に接続するためのインターフェイスであり、ＥメールやＰＤＬデータの送受信を可能とする。外部Ｉ／Ｆ３２２は、他の外部装置とのインターフェイスである。
【００３３】
タイマ３２０は、スリープ移行時間、シャットダウン移行時間をカウントするために設けられている。タイマ３２０は、ＣＰＵ３１１によりカウントがスタートされ、スリープ移行時間およびシャットダウン移行時間をカウントした場合に、ＣＰＵ３１１に対して割り込みを行う。
【００３４】
＜電源スイッチおよび電源スイッチの周辺の構成＞
次に、図２を参照して、ＳＦＰ３００の電源スイッチ３２１およびその周辺の構成について説明する。
【００３５】
電源部３０１は、商用電源ＡＣから供給される電力を整流および変圧してＤＣ電源（２４Ｖ、３．３Ｖ）を生成する。そして、電源部３０１により生成されたＤＣ電源は、コントローラ部３１０、プリンタ部３１５および操作部３１３に供給される。このコントローラ部３１０は、上記したＣＰＵ３１１、電源制御部３０２、ＲＯＭ３１６、ＲＡＭ３１７などを含む。
【００３６】
電源部３０１は、電源スイッチ部３０１ａ、第１電源部３０１ｂ、電源リレー部３０１ｃ、電源スイッチ部３０１ｄおよび第２電源部３０１ｅを有している。
【００３７】
電源スイッチ部３０１ａは、ソレノイドスイッチである。このソレノイドスイッチは、スイッチとアクチュエータによって構成され、手動又は自動でスイッチをオフすることが可能である。アクチュエータは、ソレノイドと鉄芯（ソレノイドの中に配置される）により構成され、ソレノイドに電流を流すことにより、鉄芯を動作させ、スイッチを自動でオフさせることが可能となっている。この電源スイッチ部３０１ａは、電源スイッチ部３０１ａのオン／オフ状態を電源制御部３０２に通知する機能を有している。
【００３８】
電源リレー部３０１ｃは、電源制御部３０２からの信号に基づいて、電源スイッチ部３０１ａがオフ状態であっても、外部からの交流電源を第１電源部３０１ｂに供給する。電源制御部３０２は、この電源リレー部３０１ｃをオフすることによって、当該交流電源から第１電源部３０１ｂへの電力の供給を停止する。
【００３９】
第１電源部３０１ｂは、外部からの交流電源を直流電源に変換する。この第１電源部３０１ｂは、コントローラ部３１０に３．３Ｖの直流電源を供給する。なお、この３．３Ｖは、例示であって、コントローラ部３１０を駆動可能な電圧であれば、３．３Ｖに限定されない。
【００４０】
電源スイッチ部３０１ｄは、外部からの交流電源と第２電源部３０１ｅとの間に設けられている。この電源スイッチ部３０１ｄは、電源制御部３０２から送信されるスイッチ駆動信号に応じて、オンおよびオフが切り替わる。この電源スイッチ部３０１ｄは、スリープ状態およびオフ状態でオフになり、スタンバイ状態でオンになる。
【００４１】
第２電源部３０１ｅは、コントローラ部３１０、プリンタ部３１５および操作部３１３に２４Ｖの直流電源を供給する。なお、この２４Ｖは、例示であって、コントローラ部３１０、プリンタ部３１５および操作部３１３を駆動可能な電圧であれば、２４Ｖに限定されない。
【００４２】
＜ＳＦＰ３００の電力状態の説明＞
ＳＦＰ３００は、スタンバイ状態、スリープ状態およびオフ状態のいずれかの電力状態となる。なお、ＭＦＰ２００もＳＦＰ３００と同様にスタンバイ状態、スリープ状態およびオフ状態となる。本実施形態では、ＭＦＰ２００の電力状態については、ＳＦＰ３００と同様であるので、その説明を割愛する。
【００４３】
電源部３０１は、ＳＦＰ３００がスリープ状態に移行したときでも、ＳＦＰ３００に電力を供給し続ける第１電源部３０１ｂと、ＳＦＰ３００がスリープ状態に移行したときに電力の供給が遮断される第２電源３０１ｅと、を有している。
【００４４】
ＳＦＰ３００がスタンバイ状態の場合には、電源スイッチ部３０１ａ、電源リレー部３０１ｃおよび電源スイッチ部３０１ｄがいずれもオンになる。これにより、第１電源部３０１ｂおよび第２電源部３０１ｅからＳＦＰ３００の各部に電力が供給される。つまり、スタンバイ状態の場合には、第１電源部３０１ｂおよび第２電源部３０１ｅの両方から、ＳＦＰ３００の各デバイスに電力が供給される。
【００４５】
一方、スリープ状態の場合には、電源スイッチ部３０１ａおよび電源リレー部３０１ｃがオンになるが、電源スイッチ部３０１ｄがオフになる。これにより、第１電源部３０１ｂからコントローラ部３１０に電力が供給されが、第２電源部３０１ｅから各デバイスに供給される電力が遮断される。
【００４６】
また、電源部３０１は、ＳＦＰ３００がオフ状態に移行したときには、電源スイッチ部３０１ａ、電源リレー部３０１ｃおよび電源スイッチ部３０１ｄがいずれもオフになる。これにより、第１電源部３０１ｂおよび第２電源部３０１ｅからＳＦＰ３００の各デバイスに供給される電力が停止する。
【００４７】
ＳＦＰ３００がスタンバイ状態で、ＣＰＵ３１１がスリープ状態への移行要因を検出した場合に、ＣＰＵ３１１は、電源制御部３０２に、電源スイッチ部３０１ｄに対してスイッチオフ指令を送信させる。これにより、電源スイッチ部３０１ｄがオフになり、第２電源部３０１ｅからプリンタ部３１５などに供給される電力が遮断される。
【００４８】
上記したスリープ状態への移行要因は、操作部３１３で設定したスリープ移行時間（例えば、１０分）の間、操作部３１３の操作がなされなかったこと（要件１）、または、操作部３１３に設けられるスリープ移行ボタン（図示せず）が押下されたこと（要件２）、である。なお、第１実施形態では、スリープ状態への移行要件として、上記した要件１および要件２を例示したが、本発明はこれに限らず、上記した要件１および要件２以外の要件を満たしたときに、ＳＦＰ３００をスリープ状態に移行させても良い。
【００４９】
なお、上記したオートスリープ移行時間は、図３（ａ）に示すように、ＳＦＰ３００の表示パネル３１２に表示される画面Ｍ１を介して、ユーザが任意に設定することができる。電源部３０１の第２電源部３０１ｅからＣＰＵ３１１への電力の供給が遮断されるので、ＣＰＵ３１１は、ＳＦＰ３００がスリープ状態に移行する前に、ＲＡＭ３１７にレジスタ設定値を収集して格納した後、第２電源部３０１ｅを遮断する。このようにして、ＳＦＰ３００をスリープ状態へ移行させることによって、ＳＦＰ３００の消費電力をスタンバイ状態のときよりも削減することができる。
【００５０】
また、電源制御部３０２は、スリープ復帰要因に基づいて、電源部３０１に第２電源部３０１ｅから電力が供給されるよう指示する。これにより、ＳＦＰ３００は、スリープ状態からスタンバイ状態に移行する。上記したスリープ復帰要因は、操作部３１３に設けられるスリープ復帰ボタン（図示せず）が押下されたこと（復帰要因１）、または、Ｅｔｈｅｒｎｅｔ（登録商標）Ｉ／Ｆ３１９がＰＣ４００から印刷要求を受けたこと（復帰要因２）、である。なお、第１実施形態では、スリープ復帰要件として、上記した復帰要因１又は復帰要因２を例示したが、本発明はこれに限らず、上記した復帰要因１および復帰要因２以外の要件を満たしたときに、ＳＦＰ３００をスリープ状態からスタンバイ状態に復帰させても良い。
【００５１】
スリープ状態からスタンバイ状態に復帰する際、ＣＰＵ３１１は、電源部３０１の第２電源部３０１ｅから電力が供給されて起動する。この時、ＣＰＵ３１１は、スタンバイ状態からスリープ状態への移行時にＲＡＭ３１７に格納しておいたレジスタ設定値を読み込み、ＳＦＰ３００をスリープ状態への移行前と同じ状態にする。
【００５２】
（シャットダウン機能の説明）
次に、ＳＦＰ３００のオートシャットダウン機能、およびウィークリーシャットダウン機能について説明する。
【００５３】
まず、オートシャットダウン機能について説明する。このオートシャットダウン機能は、ＣＰＵ３１１がオートオフ要因を検出した場合に、電源部３０１からＳＦＰ３００の各デバイスに供給される電力を自動的に遮断する機能である。このオートシャットダウン機能が実行されると、ＳＦＰ３００の電力状態がオフ状態になり、ＳＦＰ３００の消費電力をスリープ状態のときよりも削減することができる。このオートシャットダウン機能により、ＳＦＰ３００の電力状態がオフ状態になると、ＭＦＰ２００からＥメールを受信すること、ＰＣ４００から印刷要求を受信すること、および操作部３１３のユーザからの操作を受け付けること、などが不可能となる。なお、本実施形態では、オフ状態と表現したが、厳密にはＳＦＰ３００における消費電力は、厳密に０ｗでなくても良い。本実施形態では、電源部３０１からの電力の供給が停止されている状態をオフ状態であって、ＭＦＰ２００から送信されるＥメールを受信できない電力状態である
ここで、上記したＳＦＰ３００のオートシャットダウン機能が実行される要因（オートオフ要因）は、ＳＦＰ３００がスリープ状態に移行してから、オートシャットダウン移行時間（例えば、２０分）の間、操作部３１３の操作がなされなかったこと（オートオフ要因１）、または、ＳＦＰ３００がスリープ状態に移行してから、オートシャットダウン移行時間（例えば、２０分）の間、Ｅｔｈｅｒｎｅｔ（登録商標）Ｉ／Ｆ３１９がＰＣ４００から印刷要求を受信しなかったこと（オートオフ要因２）、である。オートシャットダウン移行時間は、図３（ｂ）に示すように、表示パネル３１２の画面Ｍ２を介して、操作部３１３の操作によって任意に設定することができる。
【００５４】
次に、ウィークリーシャットダウン機能について説明する。このウィークリーシャットダウン機能は、タイマ３２０により計時される時刻が、予めユーザにより設定された時刻（ウィークリーシャットダウン時刻）になったときに、電源部３０１からＳＦＰ３００に供給される電力を遮断する機能である。これにより、ＳＦＰ３００の電力状態がオフ状態になり、ＳＦＰ３００の消費電力をスリープ状態のときよりも削減することができる。このオートシャットダウン機能により、ＳＦＰ３００の電力状態がオフ状態になると、外部装置からＥメールを受信したり、印刷要求を受信したりすることが不可能となる。また、ＳＦＰ３００がオフ状態になると、操作部３１３のユーザからの操作を受け付けることも不可能となる。このウィークリーシャットダウン機能は、主に終業後のオフィスで誰も画像形成装置を使わない時間に無駄な電力消費を抑えることを目的に使用される。
【００５５】
上記したウィークリーシャットダウン時刻は、図３（ｃ）に示すように、表示パネル３１２の画面Ｍ３を介して、ユーザが各曜日に対して設定する時刻である。図３（ｃ）の例では、月曜日から金曜日までが１８：００が設定され、土曜日および日曜日が設定されていない。
【００５６】
ここでは、ＳＦＰ３００のシャットダウン機能（オートシャットダウン機能、ウィークリーシャットダウン機能）について説明したが、ＭＦＰ２００におけるシャットダウン機能（オートシャットダウン機能、ウィークリーシャットダウン機能）も、ＳＦＰ３００と同様であるので、その説明を割愛する。
【００５７】
＜ＦＡＸデータの転送方法について＞
図４は、ＭＦＰ２００の不揮発性メモリ２１８に格納されている転送設定テーブル２３０である。ＳＦＰ３００に通信可能に接続されるＭＦＰ２００は、ＦＡＸ１００から送信されるＦＡＸデータをＳＦＰ３００に転送する。ＭＦＰ２００が当該ＦＡＸデータをＳＦＰ３００に転送する場合、ＭＦＰ２００は、このＦＡＸデータを添付ファイルとするＥメールをＳＦＰ３００に送信する。
【００５８】
ＭＦＰ２００は、ＦＡＸ１００から受信したＦＡＸデータを転送する宛先を決定するために、転送設定テーブル２３０を参照する。転送設定テーブル２３０は、ＦＡＸ番号、転送先ＩＰアドレス、転送リトライ回数を含んでいる。ＭＦＰ２００は、ＦＡＸ回線およびＦＡＸ番号を複数持っており、１つのＦＡＸ番号に１つの転送先を設定することが可能である。そして、特定のＦＡＸ番号（例えば、図４の“０１２−３４５−６７８９”）宛てのＦＡＸデータを受信すると、当該ＦＡＸ番号に対応する転送先ＩＰアドレス（例えば、図４の“１１１．２２２．３３３．４４４”）が示すＳＦＰ３００へＦＡＸデータが添付されたＥメールを送信する。ＭＦＰ２００がＳＦＰ３００へＦＡＸデータが添付されたＥメールを送信する際に、セッションが繋がらない場合、ＭＦＰ２００は、転送リトライ回数で設定された待ち時間（図４の例では、３０秒）が経過した後に、再度Ｅメールの送信を試みる。転送リトライ回数の設定値（例えば、図４の“５回”）を超えた場合は、ＭＦＰ２００は、ＳＦＰ３００へのＥメールの送信を中止し、ＭＦＰ２００が当該ＦＡＸデータの印刷を行う。なお、上記した転送設定テーブル２３０は、操作部２１３を用いて編集することができる。
【００５９】
＜ＭＦＰ２００がＳＦＰ３００に送信するＥメールについて＞
次に、図５を参照して、ＭＦＰ２００がＳＦＰ３００に送信するＥメールのデータについて説明する。図５は、画像ファイルが添付されたＥメールのデータを示している。このデータは、各種情報が記述されたメールヘッダ７００、メール本文７０１、添付された画像ファイル７０２、及び、画像ファイル７０３を含んでいる。
【００６０】
メールヘッダ７００は、送信日時情報を設定する“Ｄａｔｅ”フィールド、送信者のメールアドレスを設定する“Ｆｒｏｍ”フィールド、受信者のメールアドレスを設定する“Ｔｏ”フィールドを含んでいる。さらに、メールヘッダ７００は、Ｅメールの表題を設定する“Ｓｕｂｊｅｃｔ”フィールド、および、Ｅメールを識別するために送信日時や機器のメールアドレスより生成された固有のＩＤを設定する“Ｍｅｓｓａｇｅ”フィールドを含んでいる。また、メールヘッダ７００には、ＦＡＸ１００から送信されたＦＡＸデータを送信する場合に、ＦＡＸ１００からの転送であることを示すためのフィールドが付加される。図５の場合、メールヘッダ７００に、“Ｘ−Ｃａｎｏｎ−Ｆａｘ”フィールドが付加されている。これにより、当該Ｅメールに添付されたＦＡＸデータの送信元が、ＦＡＸ１００であることを示している。なお、Ｅメールは、７ビットコードの読取可能な情報でなければならないため、添付された画像ファイルがバイナリデータであれば、そのまま送信することができない。そこで、メール本文７０１、及び、添付された画像ファイル７０２、７０３は、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）形式にデータ変換して送信される。メールヘッダ７００は、ＭＩＭＥのバージョンを設定する“ＭＩＭＥ−Ｖｅｒｓｉｏｎ”フィールドを含んでいる。メール本文７０１、添付された画像ファイル７０２および７０３の“Ｃｏｎｔｅｎｔ−Ｔｙｐｅ”フィールドには、各データ属性を設定され、“Ｃｏｎｔｅｎｔ−Ｔｒａｎｓｆｅｒ−Ｅｎｃｏｄｉｎｇ”フィールドには、データの符号化方式が設定される。
【００６１】
メール本文７０１は、本例では“ＩＳＯ−２０２２−ＪＰ”の言語体系のテキストデータにより構成されている。
【００６２】
画像ファイル７０２は、本例では“ｂａｓｅ６４”と呼ばれる符号化方式のＴＩＦＦ（Ｔａｇｇｅｄ  Ｉｍａｇｅ  Ｆｉｌｅ  Ｆｏｒｍａｔ）形式の画像データにより構成されている。画像ファイル７０３は、本例では“ｂａｓｅ６４”と呼ばれる符号化方式のＪＰＥＧ（Ｊｏｉｎｔ  Ｐｈｏｔｏｇｒａｐｈｉｃ  Ｅｘｐｅｒｔｓ  Ｇｒｏｕｐ）形式の画像データにより構成されている。
【００６３】
本実施形態では、Ｅメールに２つの画像ファイル７０２および７０３を添付しているが、Ｅメールに添付する画像ファイルの数や画像ファイルの圧縮形式は特に限定するものではない。例えば、ＴＩＦＦ形式やＪＰＥＧ形式などの画像ファイルの他にも、ＰＤＦ（Ｐｏｒｔａｂｌｅ  Ｄｏｃｕｍｅｎｔ  Ｆｏｒｍａｔ）ファィルをＥメールに添付しても良い。
【００６４】
＜Ｅメールの印刷結果について＞
図６は、図５で示したＥメールのメール本文と添付された画像ファイルの印刷結果を示す図である。ＳＦＰ３００のプリンタ部３１５は、メール本文７０１を１ページ目に印刷し、２ページ目以降に画像ファイル７０２および画像ファイル７０３を一画像ずつ印刷している。なお、ＴＩＦＦ形式の場合、１ファイルの中に複数の画像を格納したマルチページで構成することも可能であるため、Ｅメールに１つのＴＩＦＦ形式の画像ファイルを添付して送信することにより、複数ページの画像を印刷することも可能とする。さらに、図５で説明した、ＦＡＸ１００からの転送印刷であることを示すフィールド（“Ｘ−Ｃａｎｏｎ−Ｆａｘ”）が付加されていない場合（Ｅメールの送信元がＦＡＸ１００でない場合）、メール本文７０１と画像ファイル７０２および７０３との印刷を行う。一方、このフィールド（“Ｘ−Ｃａｎｏｎ−Ｆａｘ”）が付加されている場合は、メール本文７０１の印刷は省略し、画像ファイル７０２および７０３の印刷を行う。このフィールド（“Ｘ−Ｃａｎｏｎ−Ｆａｘ”）の有無により、ＳＦＰ３００は、ＦＡＸ１００からＭＦＰ２００への画像データ送信時には存在しないメール本文７０１の印刷を省略するか否かを決定することができる。
【００６５】
＜ＦＡＸ１００、ＭＦＰ２００およびＳＦＰ３００の動作説明＞
図７は、ＦＡＸ１００、ＭＦＰ２００およびＳＦＰ３００の動作を示すシーケンス図である。
【００６６】
まず、ＦＡＸ１００がＭＦＰ２００に対してＦＡＸデータを送信する（Ｓ１００）。
【００６７】
そして、ＭＦＰ２００は、ＦＡＸ１００が送信したＦＡＸデータを受信して、不揮発性メモリ２１８に当該ＦＡＸデータを一時的に保存する（Ｓ１０１）。そして、ＦＡＸデータの受信が完了したことをＦＡＸ１００に通知する。
【００６８】
ＦＡＸデータを不揮発性メモリ２１８に保存したＭＦＰ２００は、ＳＦＰ３００へＦＡＸデータを転送する。具体的には、ＭＦＰ２００は、ＳＦＰ３００に送信するＥメールと当該Ｅメールに添付される画像ファイルを生成する（Ｓ１０２）。この画像ファイルは、不揮発性メモリ２１８に保存したＦＡＸデータから生成され、ＴＩＦＦ（Ｔａｇｇｅｄ  Ｉｍａｇｅ  Ｆｉｌｅ  Ｆｏｒｍａｔ）形式やＪＰＥＧ（Ｊｏｉｎｔ  Ｐｈｏｔｏｇｒａｐｈｉｃ  Ｅｘｐｅｒｔｓ  Ｇｒｏｕｐ）形式の画像ファイルとなる。
【００６９】
そして、ＭＦＰ２００からＳＭＴＰのセッションが開始されることが通知され（Ｓ１０３）、前のメールトランザクションで設定された設定値をリセットする（Ｓ１０４）。そして、ＭＦＰ２００は、Ｅメールの送信者（メールアドレス）を通知すると共に（Ｓ１０５）、Ｅメールの受信者を通知する（Ｓ１０６）。そして、ＭＦＰ２００は、画像ファイルが添付されたＥメールを送信する（Ｓ１０７）。そして、ＭＦＰ２００は、画像ファイルが添付されたＥメールの送信が終了したことを通知する（Ｓ１０８）。なお、このＥメールは、ＳＭＴＰ（Ｓｉｍｐｌｅ  Ｍａｉｌ  Ｔｒａｎｓｆｅｒ  Ｐｒｏｔｏｃｏｌ）のコマンドを用いて送信される。
【００７０】
画像ファイルが添付されたＥメールを受信したＳＦＰ３００は、当該Ｅメールと画像ファイルとのデータ解析を行う（Ｓ１０９）。具体的には、ＳＦＰ３００は、ＭＩＭＥ形式のデータの解析と符号復元化により、メール本文７０１、画像ファイル７０２および画像ファイル７０３の復元化を行う。そして、ＳＦＰ３００は、復元化されたメール本文７０１、画像ファイル７０２および画像ファイル７０３を用いて、印刷のための画像イメージを生成する（Ｓ１１０）。そして、ＳＦＰ３００は、生成した画像イメージの印刷を行う（Ｓ１１１）。全ページの印刷が完了した後、ＳＦＰ３００は、Ｓ１０８のデータ送信の終了を示すコマンドに対して、成功の通知を返すことによって印刷完了を通知する。そして、ＳＦＰ３００からＳＭＴＰのセッションが終了したことが通知される（Ｓ１１２）。
【００７１】
その後、上記した成功の通知を受信したＭＦＰ２００は、ＭＦＰ２００内の不揮発性メモリ２１８に一時的に保存するＦＡＸデータを消去する（Ｓ１１３）。
【００７２】
＜シャットダウン機能の設定方法＞
第１実施形態のＳＦＰ３００では、ＳＭＴＰの設定（Ｅメールの受信機能）が無効から有効に変更された場合、シャットダウン機能（オートシャットダウン機能、およびウィークリーシャットダウン機能）の設定が連動して無効になる。
【００７３】
なお、ＳＦＰ３００のＳＭＴＰの設定が有効から無効に変更された場合、シャットダウン機能の設定は連動しない。
【００７４】
図８は、ＳＦＰ３００のＳＭＴＰの設定が変更されたときのフローチャートである。
【００７５】
まず、ＣＰＵ３１１は、ＳＭＴＰの設定が変更されたか否かを判断する（Ｓ２０２）。このＳＭＴＰの設定は、図３（ｄ）に示すように、ＳＦＰ３００の表示パネル３１２のラジオボタンＲＢにより設定される。ＳＭＴＰの設定が変更されていない場合（Ｓ２０２：Ｎｏ）、ＣＰＵ３１１は、本シーケンスを終了する。一方、ＳＭＴＰの設定が変更された場合（Ｓ２０２：Ｙｅｓ）、ＣＰＵ３１１は、変更されたＳＭＴＰの設定が無効から有効に設定変更されたか否かを判断する（Ｓ２０４）。そして、ＳＭＴＰの設定が無効から有効に設定変更された場合、シャットダウン機能を無効に設定する（Ｓ２０６）。具体的には、ＳＭＴＰの設定が無効から有効に設定変更された場合、シャットダウン機能が既に無効であれば、そのまま無効のままにしておき、シャットダウン機能が有効であれば、当該設定を無効に変更する。
【００７６】
これに対して、ＣＰＵ３１１がＳＭＴＰの設定が有効から無効に設定変更されたと判断した場合（Ｓ２０４：Ｎｏ）、シャットダウン機能の設定を変更せずに、本シーケンスを終了する。なお、Ｓ２０４において、ＣＰＵ３１１がＳＭＴＰの設定が有効から無効に設定変更されたと判断した場合（Ｓ２０４：Ｎｏ）、シャットダウン機能を有効に変更しても良い。具体的には、ＳＭＴＰの設定が有効から無効に設定変更された場合、シャットダウン機能が既に有効であれば、そのまま有効のままにしておき、シャットダウン機能が無効であれば、当該設定を有効に変更しても良い。
【００７７】
＜オートシャットダウン機能の実行＞
次に、図９を参照して、ＳＦＰ３００が起動してからオートシャットダウン機能によりシャットダウンするまでの動作について説明する。
【００７８】
電源スイッチ部３０１ａがユーザの操作によりオンにされると、ＳＦＰ３００の電源が投入される。電源スイッチ部３０１ａがオンになると、第１電源部３０１ｂからコントローラ部３１０部に電力が供給される。そうすると、ＣＰＵ３１１は、電源制御部３０２を制御して、ＳＦＰ３００の電力状態をスタンバイ状態に移行させる（Ｓ３０１）。具体的には、電源制御部３０２が電源スイッチ部３０１ｄをオンにすることによって、第２電源部３０１ｅからコントローラ部３１０、プリンタ部３１５および操作部２１３に電力が供給される。
【００７９】
その後、ＳＦＰ３００がスタンバイ状態で、操作部３１３の操作が所定時間（オートスリープ移行時間：Ｔｓｌ）ない場合、または、ＰＣ４００から起動指示（印刷データを受信しない等）が所定時間（オートスリープ移行時間：Ｔｓｌ）なされない場合（Ｓ３０２：Ｙｅｓ）に、ＣＰＵ３１１は、ＳＦＰ３００をスリープ状態に移行させる（Ｓ３０３）。具体的には、電源制御部３０２が電源スイッチ部３０１ｄをオフにすることによって、第２電源部３０１ｅからコントローラ部３１０、プリンタ部３１５および操作部２１３への電力の供給が停止される。なお、第１電源部３０１ｂは、コントローラ部３１０に電力を供給し続ける。
【００８０】
ここで、Ｓ３０２の詳細について説明する。本実施形態では、ＣＰＵ３１１は、ＲＯＭ３１６のデータ領域に格納されているスタンバイ状態経過時間（Ｔｐｎｒ）の数値を「０」に初期化（クリア）する。そして、ＣＰＵ３１１は、操作部３１３、Ｅｔｈｅｒｎｅｔ（登録商標）Ｉ／Ｆ３１９、外部Ｉ／Ｆ３２２から信号が入力されない間、ＲＯＭ１０４のデータ領域に格納されているスタンバイ状態経過時間Ｔｐｎｒの数値を更新（カウントアップ）する。そして、ＣＰＵ３１１は、このスタンバイ状態経過時間Ｔｐｎｒが上記したオートスリープ移行時間Ｔｓｌより大きい（Ｔｐｎｒ＞Ｔｓｌ）と判定した場合、スリープ移行処理を実行する（Ｓ３０３）。
【００８１】
一方、スタンバイ状態経過時間Ｔｐｎｒがオートスリープ移行時間Ｔｓｌを経過する前に、操作部３１３、Ｅｔｈｅｒｎｅｔ（登録商標）Ｉ／Ｆ３１９、外部Ｉ／Ｆ３２２から信号が入力されると、ＣＰＵ３１１は、入力された信号に応じた動作を実行する。その後、ＣＰＵ３１１は、ＳＦＰ３００をスタンバイ状態のまま維持し（Ｓ３０２：Ｎｏ）、Ｔｐｎｒの数値を「０」に初期化（クリア）する。
【００８２】
Ｓ３０３において、ＣＰＵ３１１は、第２電源部３０１ｅから、操作部３１３、プリンタ部３１５などに供給される電力が遮断されるように、電源制御部３０２を制御する（Ｓ３０３）。そして、ＳＦＰ３００がスリープ状態で、所定時間（オートシャットダウン移行時間：Ｔｓｈ）の間、電源制御部３０２によりスリープ復帰要因が検出されない場合、ＣＰＵ３１１は、Ｓ３０５の判断を行う。具体的には、操作部３１３の操作が所定時間（オートシャットダウン移行時間：Ｔｓｈ）ない場合、または、ＰＣ４００やＭＦＰ２００等の外部機器から起動指示が所定時間（オートシャットダウン移行時間：Ｔｓｈ）ない場合（Ｓ３０４：Ｙｅｓ）、ＣＰＵ３１１は、Ｓ３０５の判断を行う。このＳ３０５で、ＣＰＵ３１１は、オートシャットダウン機能の設定がＯＮになっているか否かを判断する（Ｓ３０５）。
【００８３】
ここで、Ｓ３０４の詳細について説明する。本実施形態では、ＣＰＵ３１１は、ＲＯＭ３１６のデータ領域に格納されているスリープ状態経過時間（Ｔｐｓｌ）の数値を「０」に初期化（クリア）する。そして、ＣＰＵ３１１は、操作部３１３、Ｅｔｈｅｒｎｅｔ（登録商標）Ｉ／Ｆ３１９、外部Ｉ／Ｆ３２２から信号が入力されない間、ＲＯＭ１０４のデータ領域に格納されているスリープ状態経過時間Ｔｐｓｌの数値を更新（カウントアップ）する。そして、ＣＰＵ３１１は、このスリープ状態経過時間Ｔｐｓｌが上記したオートシャットダウン移行時間Ｔｓｈより大きい（Ｔｐｓｌ＞Ｔｓｈ）と判定した場合、上記したオートシャットダウン機能の設定がＯＮになっているか否かの判断を行う（Ｓ３０５）。
【００８４】
Ｓ３０５の判断の結果、ＣＰＵ３１１は、オートシャットダウン機能の設定がＯＮになっている場合には（Ｓ３０５：Ｙｅｓ）、ＳＦＰ３００をオフ状態（省電力状態）に移行させるシャットダウン処理を実行する（Ｓ３０６）。これに対して、オートシャットダウン機能の設定がＯＮになっていない場合（ＯＦＦになっている場合）には（Ｓ３０５：Ｎｏ）、ＣＰＵ３１１は、シャットダウン処理を実行せずに、ＳＦＰ３００をスリープ状態のまま維持する（Ｓ３０５：Ｎｏ）。
【００８５】
一方、スリープ状態経過時間Ｔｐｓｌがオートシャットダウン移行時間Ｔｓｈを経過する前に、操作部３１３、Ｅｔｈｅｒｎｅｔ（登録商標）Ｉ／Ｆ３１９、外部Ｉ／Ｆ３２２から信号が入力されると（Ｓ３０４：Ｎｏ）、ＣＰＵ３１１は、Ｓ３０１の処理を実行する。Ｓ３０１では、ＣＰＵ３１１は、ＳＦＰ３００をスタンバイ状態に移行させるスタンバイ移行処理を実行する（Ｓ３０１）。
【００８６】
＜ウィークリーシャットダウン機能の実行＞
次に、図１０を参照して、ＳＦＰ３００がウィークリーシャットダウン機能によりシャットダウンするまでの動作について説明する。
【００８７】
ＳＦＰ３００がスタンバイ状態もしくはスリープ状態で、ＣＰＵ３１１は、タイマ３２０により計時される時刻がウィークリーシャットダウン時刻になったか否かを判断する（Ｓ４０２）。具体的には、ＣＰＵ３１１は、タイマ３２０により計時される時刻を取得して、当該現在時刻と、ＲＯＭ３１６に格納されるウィークリーシャットダウン時刻とを比較する。これにより、ＣＰＵ３１１が、現在時刻がウィークリーシャットダウン時刻になったと判断した場合には（Ｓ４０２：Ｙｅｓ）、ＣＰＵ３１１は、ウィークリーシャットダウン機能の設定がＯＮになっているか否かを判断する（Ｓ４０５）。Ｓ４０５の判断の結果、ＣＰＵ３１１がウィークリーシャットダウン機能の設定がＯＮになっていると判断した場合には（Ｓ４０５：Ｙｅｓ）、ＳＦＰ３００をオフ状態（省電力状態）に移行させるシャットダウン処理を実行する（Ｓ４０６）。これに対して、ＣＰＵ３１１がウィークリーシャットダウン機能の設定がＯＮになっていないと判断した場合（ＯＦＦになっている場合）には（Ｓ４０５：Ｎｏ）、シャットダウン処理を実行しない。これにより、ＳＦＰ３００の電力状態がスタンバイ状態またはスリープ状態のまま維持される（Ｓ４０５：Ｎｏ）。
【００８８】
（第２実施形態）
第１実施形態では、ＳＦＰ３００のシャットダウン機能の設定を、ＳＦＰ３００のＳＭＴＰの設定に連動させる例について説明したが、本発明はこれに限らない。すなわち、第２実施形態では、ＭＦＰ２００が送信するＦＡＸデータの送信先としてＳＦＰ３００が登録されている場合に、ＳＦＰ３００のシャットダウン機能の設定を無効にする。
【００８９】
図１１は、ＭＦＰ２００が送信するＦＡＸデータの送信先をＳＦＰ３００が取得したときのフローチャートである。本実施形態では、ＣＰＵ３１１は、ＳＦＰ３００がＭＦＰ２００のＦＡＸデータの転送先として登録されている場合に、シャットダウン機能の設定を無効にする。
【００９０】
なお、ＳＦＰ３００がＭＦＰ２００のＦＡＸデータの転送先として登録されていない場合に、シャットダウン機能の設定は変化しない。
【００９１】
まず、ＣＰＵ３１１は、ＭＦＰ２００のＦＡＸデータの転送先を取得する（Ｓ５０１）。このＭＦＰ２００のＦＡＸデータの転送先は、上記した転送設定テーブル２３０などの情報である。そして、ＣＰＵ３１１は、ＳＦＰ３００が、当該ＦＡＸデータの転送先として登録されているか否かを判断する（Ｓ５０２）。ＳＦＰ３００が、当該ＦＡＸデータの転送先として登録されていない場合（Ｓ５０２：Ｎｏ）、ＣＰＵ３１１は、本シーケンスを終了する。
【００９２】
一方、ＳＦＰ３００が、当該ＦＡＸデータの転送先として登録されている場合（Ｓ５０２：Ｙｅｓ）、ＣＰＵ３１１は、シャットダウン機能の設定を無効にする（Ｓ５０３）。具体的には、ＳＦＰ３００がＦＡＸデータの転送先として登録されている場合（Ｓ５０２：Ｙｅｓ）、シャットダウン機能が既に無効であれば、そのまま無効のままにしておき、シャットダウン機能が有効であれば、当該設定を無効に変更する。
【００９３】
なお、上記したＦＡＸデータの転送先として登録されているか否かの情報は、ＣＰＵ３１１がＭＦＰ２００に問い合わせて取得する情報であっても良いし、ユーザが操作部３１３を操作して入力した情報であっても良い。
【００９４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９５】
＜変形例＞
なお、上記した第１実施形態では、ＳＭＴＰの設定を有効にした場合に、シャットダウン機能を無効にする例について説明し、第２実施形態では、Ｅメールの転送先としてＳＦＰ３００が登録されている場合に、シャットダウン機能を無効にする例について説明した。しかしながら、本発明はこれらに限定されない。第２実施形態では、Ｅメールの送信元であるＭＦＰ２００の情報の一例としてＥメールの転送先を利用する例について説明したが、Ｅメールの転送先以外の情報に基づいて、シャットダウン機能を無効に設定しても良い。例えば、ＳＦＰ３００は、ＭＦＰ２００との通信状態を取得して、ＭＦＰ２００との通信が確立している場合には、シャットダウン機能を無効に設定しても良い。また、ＳＦＰ３００は、ＭＦＰ２００におけるシャットダウン機能の設定情報を取得して、当該設定情報に基づいて、シャットダウン機能を無効にしても良い。
【符号の説明】
【００９６】
１００  ＦＡＸ
２００  ＭＦＰ
２３０  転送設定テーブル
３００  ＳＦＰ
３０１  電源部
３１１  ＣＰＵ
３１３  操作部
３１５  プリンタ部
３１９  Ｅｔｈｅｒｎｅｔ（登録商標）Ｉ／Ｆ
３２１  電源スイッチ
【図１】
0005943701.tif 000002
【図２】
0005943701.tif 000003
【図３】
0005943701.tif 000004
【図４】
0005943701.tif 000005
【図５】
0005943701.tif 000006
【図６】
0005943701.tif 000007
【図７】
0005943701.tif 000008
【図８】
0005943701.tif 000009
【図９】
0005943701.tif 000010
【図１０】
0005943701.tif 000011
【図１１】
0005943701.tif 000012